(57)【要約】【課題】体熱の放熱効率を向上し、しかも使用者の快適性を向上させ、更に消費電力量を抑制する送風機能を備えた装着体を提供すること。【解決手段】気体流通路を有した装着体１０と、気体流通路に気体を送り出す送風手段２０と、送風手段２０を制御する制御手段とを備え、制御手段は、気体を間欠的に送り出すように送風手段を制御する送風機能を備えた装着体。【選択図】図６
2012246591.tif 000002
【特許請求の範囲】
【請求項１】
気体流通路を有した装着体と、前記気体流通路に気体を送り出す送風手段と、前記送風手段を制御する制御手段とを備え、
前記制御手段は、前記送風手段から気体が間欠的に送り出されるように制御を行うことを特徴とする送風機能を備えた装着体。
【請求項２】
前記制御手段は、送風時間を挟んで、３０秒〜２分の未送風時間を繰り返すように、前記送付手段を制御することを特徴とする請求項１に記載の送風機能を備えた装着体。
【請求項３】
前記制御手段は、未送風時間を挟んで、３０秒以上の送風時間を繰り返すように、前記送付手段を制御することを特徴とする請求項１または請求項２に記載の送風機能を備えた装着体。
【請求項４】
前記送風手段は、前記気体流通路に送り出す気体を乾燥させる乾燥手段を有していることを特徴とする請求項１乃至請求項３のいずれか１項に記載の送風機能を備えた装着体。
【請求項５】
前記装着体の気体流通路は、前記装着体の全外面において外部に連通していることを特徴とする請求項１乃至請求項４のいずれか１項に記載の送風機能を備えた装着体。
【請求項６】
前記装着体と前記送風手段との間を連結し前記装着体と前記送風手段との間で気体を循環させる気体供給パイプ及び気体回収パイプを更に備え、
前記気体供給パイプ及び前記気体回収パイプは、前記装着体を起立状態の使用者に着用させた場合の上下方向に相互に離間する位置で、前記装着体に取り付けられていることを特徴とする請求項１乃至請求項５のいずれか１項に記載の送風機能を備えた装着体。
【請求項７】
前記送風手段は、外部電源に接続される電源コネクタを更に有していることを特徴とする請求項１乃至請求項６のいずれか１項に記載の送風機能を備えた装着体。
【発明の詳細な説明】
【技術分野】
【０００１】
本発明は、送風機能を備えた装着体に関し、特に、暑熱環境下において用いられる再循環送風機能を備えた装着体に関する。
【背景技術】
【０００２】
通常、人体では、体熱の発生（産熱）及び体熱の放散（放熱）が平衡しているために体温が一定に保持されているが、暑熱環境下で使用が義務付けられる通気性や換気性に乏しく、且つ断熱性の高い作業服の着用時等においては、産熱及び放熱の平衡が崩れて体温が上昇し、不快感や疲労感が増大したり、熱射病や熱中症等の症状が生じることがある。
【０００３】
このような体温上昇に起因した弊害を抑制する技術として、従来、空気流通路を有する装着体と、装着体に対して空気を送り込む送風手段と、送風手段に電力を供給する電源手段とから構成され、装着者の身体を冷却する防護服用冷却装置が知られている（例えば、特許文献１参照。）。
【０００４】
この特許文献１に記載の防護服用冷却装置は、装着体に対して連続的に送風を行うことで、使用者の身体から発した汗の気化を促し、気化熱を利用して装着者の身体を冷却するものである。
【先行技術文献】
【特許文献】
【０００５】
【特許文献１】特開２０１０−９１１６３号公報
【発明の概要】
【発明が解決しようとする課題】
【０００６】
ところが、従来の防護服用冷却装置のように、装着体に対して空気を連続的に送り込む連続送風方式を採用した場合、皮膚温の低下が過大となり、皮膚温低下による皮膚血流量が低下するため、体熱の放熱効率が悪いという問題があった。
【０００７】
また、従来の防護服用冷却装置では、汗の貯留量が充分ではなく気化熱を利用した冷却効果を充分に得ることができない時間が発生し、当該時間においても送風を行う為の電力が消費し続けられるため、電力の浪費が生じるという問題があった。
【０００８】
他方、「暑い」「暖かい」「涼しい」「寒い」等と表現される温度感覚とは別に、「不快」「快適」等と表現される快適感覚がある。
【０００９】
そして、この快適感覚の観点においても、従来の防護服用冷却装置のように連続送風方式を採用した場合、低い皮膚温を維持することが可能である反面、低い皮膚温が一定に維持されることに起因した温度感覚に対する慣れが生じるため、「快適」等の快適感覚を実感でき難くなる傾向にある。
【００１０】
そこで、本発明は、従来の問題を解決するものであって、すなわち、本発明の目的は、体熱の放熱効率を向上し、しかも使用者の快適性を向上させ、更に消費電力量を抑制する送風機能を備えた装着体を提供することである。
【課題を解決するための手段】
【００１１】
本発明の送風機能を備えた装着体は、気体流通路を有した装着体と、前記気体流通路に気体を送り出す送風手段と、前記送風手段を制御する制御手段とを備え、前記制御手段は、前記送風手段から気体が間欠的に送り出されるように制御を行うことにより、前述した課題を解決したものである。
【発明の効果】
【００１２】
本発明では、装着体に対して気体を間欠的に送り出す間欠送風方式を採用していることにより、未送風の時間帯において、皮膚温を上昇させて一時的な発汗増加を生じさせ、送風の時間帯において、未送風時に貯留された汗を一気に気化させることが繰り返されるため、体熱の放熱効率を向上できる。
【００１３】
また、送風により電力を消費しているにも関わらず気化熱による冷却効果を享受することのない時間が排除されるため、限られた電源でより高効率で身体を冷却できる。
【００１４】
また、本発明では、未送風時における体温上昇と送風時における体温低下とが繰り返されるため、皮膚温が一定に維持された場合に生じがちな温度感覚に対する慣れの発生を回避し、送風時における体温低下に伴う「涼しい」等の温度感覚を使用者に継続して感じさせることが可能であり、使用者の快適性を向上できる。
【図面の簡単な説明】
【００１５】
【図１】本発明の一実施例である送風機能を備えた装着体を使用者が着用した際の状態を体の前側から見て示す説明図である。
【図２】装着体を使用者が着用した際の状態を体の後側から見て示す説明図である。
【図３】前身頃体及び後身頃体を構成するメッシュ素材を示す一部拡大図である。
【図４】送風ユニットを示す斜視図である。
【図５】送風ユニットを概略的に示す説明図である。
【図６】間欠送風方式で送風ユニットを駆動させた場合の衣服内温度及び衣服内湿度の推移を示すグラフである。
【図７】間欠送風方式で送風ユニットを駆動させた場合の皮膚温の推移を示すグラフである。
【図８】送風ユニットを駆動させることなく、被験者が椅子に着座して安静にした状態で測定を行った場合の、胸及び背中における放熱量の推移を示すグラフである。
【図９】送風ユニットを駆動させることなく、被験者が軽運動を行った状態で測定を行った場合の、胸及び背中における放熱量の推移を示すグラフである。
【図１０】連続送風方式で送風ユニットを駆動させた場合の、胸及び背中における放熱量の推移を示すグラフである。
【図１１】未送風時間を固定し送風時間を様々に設定して測定を行った場合の、胸における放熱量の推移を示すグラフである。
【図１２】送風時間を固定し未送風時間を様々に設定して測定を行った場合の、胸における放熱量の推移を示すグラフである。
【発明を実施するための形態】
【００１６】
以下、本発明の一実施例である送風機能を備えた装着体を図面に基づいて説明する。
【実施例】
【００１７】
本実施例における送風機能を備えた装着体は、暑熱環境下において作業着（図示しない）等の内側に装着されるものであり、図１乃至図５に示すように、使用者により着用される装着体１０と、装着体１０に対して気体を送り出す送風ユニット（送風手段）２０と、送風ユニット２０を制御する制御部（制御手段、図示しない）と、装着体１０及び送風ユニット２０を接続する気体供給パイプ３０と、装着体１０及び送風ユニット２０を接続する気体回収パイプ４０とを備えている。
【００１８】
装着体１０は、図１及び図２に示すように、使用者の胸面・腹面に装着される前身頃体１１と、使用者の背面に装着される後身頃体１２と、前身頃体１１及び後身頃体１２を連結する連結用帯１３とから構成されている。
【００１９】
前身頃体１１及び後身頃体１２は、図３に示すように、合成樹脂製の繊維を編み込むことで形成され、上側メッシュ部１４と下側メッシュ部１５と上側メッシュ部１４及び下側メッシュ部１５を連結する連結部１６とから構成された立体メッシュ素材からそれぞれ成形されている。前身頃体１１及び後身頃体１２が前述した立体メッシュ素材から成形されていることにより、前身頃体１１及び後身頃体１２の内部に気体流通路が形成され、装着体１０の上側に重量のある作業着等を更に着用した場合であっても、前身頃体１１及び後身頃体１２内における気体の流通が確保される。そして、前身頃体１１及び後身頃体１２の気体流通路は、前身頃体１１及び後身頃体１２の全外面において外部に連通しており、前身頃体１１及び後身頃体１２の内側及び外側の間においても気体が流通するように構成されている。このように、前身頃体１１及び後身頃体１２の全外面において、前身頃体１１及び後身頃体１２の気体流通路が外部に連通していることにより、前身頃体１１及び後身頃体１２の全外面から気体が外部に送り出され、身体の広範囲に亘って汗の気化を生じさせ冷却効果を得ることができる。
【００２０】
なお、前身頃体１１及び後身頃体１２の立体メッシュ構造を示した図３の一部拡大図は、当該立体メッシュ構造を説明するために概念的に示されたものである。
【００２１】
送風ユニット２０は、図４及び図５に示すように、外部筐体としてのユニットケース２１と、ユニットケース２１内に収納される送風ファン２２と、ユニットケース２１内に収納される吸着剤（乾燥手段）２３と、電源ケーブル（図示しない）を介して送風ファン２２に接続される外部電源用の電源コネクタ（図示しない）とを備えている。なお、本実施例においては、携帯バッテリや商用電源等の外部電源を使用環境に応じて使い分けることを目的として、外部電源用の電源コネクタ（図示しない）を設けているが、電源コネクタを設けることなく、電源を送風ファン２２に直結させてもよい。また、特に、電源コネクタ（図示しない）に携帯バッテリを接続した場合には、ケーブル等により使用者の行動範囲に制限が加わらず、使用者の活動に関する自由度を向上できる。
【００２２】
ユニットケース２１は、図４及び図５に示すように、気体供給パイプ３０に接続される供給パイプ接続部２１ａと、気体回収パイプ４０に接続される回収パイプ接続部２１ｂと、送風ファン２２を収容するファン収容部２１ｃと、吸着剤２３を収容する吸着剤収容部２１ｄと、電源ケーブル（図示しない）を通すケーブル用孔２１ｅとを有している。また、ユニットケース２１は、送風ファン２２による空気の送出及び回収を円滑に行うために、その内部を気密状態に維持されている。
【００２３】
送風ファン２２は、気体供給パイプ３０を通して装着体１０に対して空気を送り出すとともに、気体回収パイプ４０を通して装着体１０から空気を回収し、送風ユニット２０と装着体１０との間で空気を循環させるものであり、本実施例では、圧縮されていない空気を送り出すように構成されている。なお、圧縮空気を送り出すように送風ファン２２を構成してもよい。また、本実施では、送風ファン２２が空気を送り出すように構成されているが、空気以外の気体を送り出すように構成してもよい。
【００２４】
吸着剤２３としては、本実施例ではシリカゲルを用いており、当該シリカゲルは、通気性を有する袋に梱包された状態で吸着剤収容部２１ｄに配置されている。なお、吸着剤２３の具体的種類は、前述したシリカゲルに限定されず、例えば、ゼオライト等を用いてもよい。
【００２５】
送風ユニット２０を制御する制御部（図示しない）は、マイコン等により構成され、時間情報を出力するタイマ部（図示しない）と、タイマ部（図示しない）から出力される時間情報に基づいて送風ファン２２への電力供給をオンオフ切換するオンオフ切換部（図示しない）とを少なくとも有し、本実施例においては、約１分間の送風時間と約１分間の未送風時間とを繰り返すように、送風ファン２２から気体が間欠的に送り出されるように制御を行う。タイマ部の時間設定に関しては、使用者ごとに対応して変化させることができるようになっている。なお、詳しくは後述するが、送風時間及び未送風時間の具体的設定は、上記に限定されず、また、送風時間及び未送風時間を同一時間で設定する必要はない。
【００２６】
気体供給パイプ３０は、本実施例では、図１、図２、及び図４に示すように、２本設けられ、一方の気体供給パイプ３０は、一端をユニットケース２１の供給パイプ接続部２１ａに接続されるとともに、他端を前身頃体１１の上部付近（使用者の胸付近に装着される部分）に接続され、また、他方の気体供給パイプ３０は、一端をユニットケース２１の供給パイプ接続部２１ａに接続されているとともに、他端を後身頃体１２の上部付近（使用者の背中上部付近に装着される部分）に接続されている。
【００２７】
気体回収パイプ４０は、本実施例では、図２及び図４に示すように、２本設けられ、両方の気体回収パイプ４０は、一端をユニットケース２１の回収パイプ接続部２１ｂに接続されるとともに、他端を後身頃体１２の下部付近（使用者の腰付近に装着される部分）に接続されている。
【００２８】
このように気体供給パイプ３０及び気体回収パイプ４０が装着体１０に取り付けられていることにより、送風ユニット２０の駆動時には、使用者の身体上部から身体下部に向けて装着体１０付近の空気が流れるようになっている。なお、本実施例においては、このように使用者の身体上部から身体下部に向けて空気が流れるように構成されているが、その反対に、使用者の身体下部から身体上部に向けて空気が流れるように構成してもよい。また、装着体１０に対する気体供給パイプ３０及び気体回収パイプ４０の取り付け位置や本数は、上記に限定されず、実施態様に応じて任意に決定すればよい。更に、本実施例においては、気体供給パイプ３０に加えて気体回収パイプ４０を設けて、気体を循環させるように構成したが、気体回収パイプ４０を設けることなく、送風ユニット２０により気体の送出のみを行うように構成してもよい。
【００２９】
つぎに、図６及び図７に示す実験結果に基づいて、本発明の送風機能を備えた装着体の機能を以下に説明する。
【００３０】
まず、図６は、被験者に、通気性の良い衣服（肌着）、装着体１０、通気性に乏しい衣服（作業着）、防護衣を、身体の内側から順に着用させた状態で、階段昇降運動を数度に亘って行った際の衣服内温度及び衣服内湿度を測定した実験結果を示している。また、図７には、上記実験を行った際の被験者の皮膚温の推移を示している。なお、上記実験は、約２４度の室温且つ被験者付近にヒーターを設置した環境下で、「送風時間」及び「未送風時間」を各１分に設定し、送風ファン２２による送風量を約１５０リットル／分に設定して行った。
【００３１】
まず、図６及び図７に示す実験結果から、送風ユニット２０の駆動時（衣服内空気の循環時）に、衣服内温度、衣服内湿度、及び皮膚温が、１分置きに、それぞれ上昇及び低下を繰り返すことが分かる。
【００３２】
この衣服内温度、衣服内湿度、及び皮膚温の低下は、１分間の送風ファン２２の送風時における乾燥空気の送出及び汗の気化により生じ、また、衣服内温度、衣服内湿度、及び皮膚温の上昇は、１分間の送風ファン２２の未送風時における被験者の産熱及び発汗により生じる。
【００３３】
そして、本実験結果から、送風ファン２２から間欠的に空気が送出された場合であっても、図７に示すように、被験者の皮膚温を一定範囲内に収めることが可能であることが分かった。また、本実験の被験者の感想から、空気を連続的に送り込む連続送風方式を採用した場合に生じがちな「涼しい」等の温度感覚に対する慣れが発生せず、体温低下に伴う「涼しい」等の温度感覚を継続して感じることが可能であることが分かった。
【００３４】
つぎに、本出願人は、「送風時間」及び「未送風時間」の適切な設定時間を探るために、図８乃至図１２に示す実験を行った。
【００３５】
まず、図８乃至図１２に実験結果を示した全ての実験は、被験者に、通気性の良い衣服（肌着）、装着体１０、通気性に乏しい衣服（作業着）、防護衣を、身体の内側から順に着用させ、約２４度の室温且つ被験者付近にヒーターを設置した環境下で、送風ファン２２による送風量を約１５０リットル／分に設定して行った。
【００３６】
図８は、送風ユニット２０を駆動させることなく、被験者が椅子に着座して安静にした状態で、熱流センサにより被験者の胸及び背中における放熱量を測定した実験結果である。
【００３７】
図８に示す実験結果から、着座後約５分で皮膚表面から衣服に向かって流れる熱は安定するが、１５分にかけて徐々に低下して安静に達するには約１５分を要することが分かる。そして、この実験結果から、防護衣着用状態は、安静にしていても体温が上昇する「鬱熱：徐々に体熱を蓄積している」状態にあることが分かった。
【００３８】
図９は、送風ユニット２０を駆動させることなく、被験者が軽運動（階段昇降運動）を継続して行った状態で、被験者の胸及び背中における放熱量を測定した実験結果である。
【００３９】
図９に示す実験結果から、運動を開始すると、皮膚から衣服に向かって流れる熱は、急激に多くなり、５〜６分間は直線的に増加し、その後も漸増して、胸では安静時の約７倍、背中では約４倍に達することが分かる。そして、これらの熱は、防護衣や作業着等に遮られて、衣服内温度の上昇を引き起こすことになる。
【００４０】
図１０は、運動後の鬱熱状態で被験者が安静にし、連続送風方式で送風ユニット２０を駆動した状態で、被験者の胸及び背中における放熱量を測定した実験結果である。
【００４１】
図１０に示す実験結果から、運動後の鬱熱状態で循環装置を連続運転した場合、約１分後に最大値である約３５０Ｗ／ｍ２／ｈ（胸）、約２００Ｗ／ｍ２／ｈ（背中）に達し、約１分後〜約１２分までは、胸及び背中共に、グラフが下降線をたどり、約１２分後からは、胸及び背中共に、グラフがほぼ横這いとなり、約１７分後には、胸及び背中共に、安静時に匹敵する値（約２０Ｗ／ｍ２／ｈの付近）に戻ることが分かる。ここで、放熱量のピーク（上昇のピーク）となる約１分後から、放熱量が徐々に低下するのは、皮膚温低下による皮膚血流量の低下に伴って発汗作用が弱まり、汗の貯留量が充分ではなく気化熱を利用した冷却効果を充分に得ることができなくなっていくことに起因する。
【００４２】
更に、図１０に示す実験結果を詳述すると、まず、胸で測定した放熱量のピーク（上昇のピーク）付近の測定結果は、以下の通りである。
１２：３６：００（運転開始から２０秒後）：２９５.５Ｗ／ｍ２／ｈ
１２：３６：０５（運転開始から２５秒後）：３２７.５Ｗ／ｍ２／ｈ
１２：３６：１０（運転開始から３０秒後）：３３９.９Ｗ／ｍ２／ｈ（１回目ピーク）
１２：３６：１５（運転開始から３５秒後）：３０５.３Ｗ／ｍ２／ｈ
１２：３６：２０（運転開始から４０秒後）：３５２.１Ｗ／ｍ２／ｈ
１２：３６：２５（運転開始から４５秒後）：３５７.１Ｗ／ｍ２／ｈ
１２：３６：３０（運転開始から５０秒後）：３６２.０Ｗ／ｍ２／ｈ（２回目ピーク）
１２：３６：３５（運転開始から６０秒後）：３６２.０Ｗ／ｍ２／ｈ（２回目ピーク）
１２：３６：４０（運転開始から６５秒後）：３５７.１Ｗ／ｍ２／ｈ
１２：３６：４５（運転開始から７０秒後）：３５２.１Ｗ／ｍ２／ｈ
【００４３】
また、背中で測定した放熱量のピーク（上昇のピーク）付近の測定結果は、以下の通りである。
１２：３５：５０（運転開始から１０秒後）：１３０.７Ｗ／ｍ２／ｈ
１２：３５：５５（運転開始から１５秒後）：２００.８Ｗ／ｍ２／ｈ
１２：３６：００（運転開始から２０秒後）：２０４.６Ｗ／ｍ２／ｈ（１回目ピーク）
１２：３６：０５（運転開始から２５秒後）：１８７.６Ｗ／ｍ２／ｈ
１２：３６：１０（運転開始から３０秒後）：２０８.４Ｗ／ｍ２／ｈ（２回目ピーク）
１２：３６：１５（運転開始から３５秒後）：２０８.４Ｗ／ｍ２／ｈ（２回目ピーク）
１２：３６：２０（運転開始から４０秒後）：１８７.６Ｗ／ｍ２／ｈ
１２：３６：２５（運転開始から４５秒後）：１８７.６Ｗ／ｍ２／ｈ
１２：３６：３０（運転開始から５０秒後）：１７２.４Ｗ／ｍ２／ｈ
【００４４】
上記の実験結果から、本発明のように「送風時間」と「未送風時間」とを繰り返す間欠送風方式を採用する場合、放熱効率の観点から、胸及び背中の両方において放熱量の１回目のピーク（上昇のピーク）を迎える３０秒以上に「送風時間」を設定するのが好ましく、また、胸及び背中の両方において放熱量の２回目のピーク（上昇のピーク）を迎える５０秒以上に「送風時間」を設定するのが更に好ましいことが分かる。
また、前述したように、運転開始から約１２分後には、グラフの下降が止まり、運転開始から約１７分後には、胸及び背中共に、安静時に匹敵する値（２０Ｗ／ｍ２／ｈ）に戻ることから、「送風時間」を１７分以下に設定することが好ましく、また、１２分以下に設定することが更に好ましいことが分かる。
【００４５】
図１１は、被験者が安静にした状態で、「未送風時間」を９０秒に固定し、「送風時間」を３０秒、６０秒、９０秒、１２０秒にそれぞれ設定した場合の、被験者の胸における放熱量を測定した実験結果である。
【００４６】
図１１に示す実験結果から、「送風時間」が６０秒以上（６０秒、９０秒、１２０秒）である場合に、放熱量のピーク（上昇のピーク）が一定時間維持され、この放熱量のピークを繰り返していることから、「送風時間」を６０秒以上に設定した場合に、良好な放熱効率を得ることができることが分かる。
【００４７】
図１２は、「送風時間」を６０秒に固定し、「未送風時間」を３０秒、４５秒、６０秒、９０秒にそれぞれ設定した場合の、被験者の胸における放熱量を測定した実験結果である。
【００４８】
まず、放熱効率の観点から、送風開始時におけるグラフの立ち上がりが垂直に近く、送風終了時におけるグラフの下がり方が緩やかで小さいことが運転条件として好ましい。そして、図１２に示す実験結果を参照し、各ラインの第２のピーク（下側のピーク）を比較すると、「未送風時間」を３０秒、４５秒、６０秒に設定した場合には、上記の運転条件を満たし、また、「未送風時間」を９０秒に設定した場合には、上記の運転条件を満たしておらず、このことから、「未送風時間」は、３０秒〜６０秒の範囲内で設定することが望ましいことが分かった。
【００４９】
なお、図６乃至図１２には、送風量を約１５０リットル／分に設定した場合の実験結果を示している。しかしながら、本出願人は、送風ファン２２による送風量を様々に変更して同様の実験を行っており、これらの実験から送風量が約１００リットル／分以上である場合に同様の実験結果が得られることが分かっている。
【００５０】
このようにして得られた本発明の送風機能を備えた装着体では、装着体１０に対して気体を間欠的に送り出す間欠送風方式を採用していることにより、未送風の時間帯において、皮膚温を上昇させて一時的な発汗増加を生じさせ、送風の時間帯において、未送風時に貯留された汗を一気に気化させることが繰り返されるため、体熱の放熱効率を向上できる。
【００５１】
また、送風により電力を消費しているにも関わらず気化熱による冷却効果を享受することのない時間が排除され、限られた電源でより高効率で身体を冷却できる。
【００５２】
また、本発明では、未送風時における体温上昇と送風時における体温低下とが繰り返されるため、皮膚温が一定に維持された場合に生じがちな温度感覚に対する慣れの発生を回避し、送風時における体温低下に伴う「涼しい」等の温度感覚を使用者に継続して感じさせることが可能であり、使用者の快適性を向上できる。
【符号の説明】
【００５３】
１０    ・・・  装着体
１１    ・・・  前身頃体
１２    ・・・  後身頃体
１３    ・・・  連結用帯
１４    ・・・  上側メッシュ部
１５    ・・・  下側メッシュ部
１６    ・・・  連結部
２０    ・・・  送風ユニット（送風手段）
２１    ・・・  ユニットケース
２１ａ  ・・・  供給パイプ接続部
２１ｂ  ・・・  回収パイプ接続部
２１ｃ  ・・・  ファン収容部
２１ｄ  ・・・  吸着剤収容部
２１ｅ  ・・・  ケーブル用孔
２２    ・・・  送風ファン
２３    ・・・  吸着剤
３０    ・・・  気体供給パイプ
４０    ・・・  気体回収パイプ
【図１】
2012246591.tif 000003
【図２】
2012246591.tif 000004
【図４】
2012246591.tif 000005
【図５】
2012246591.tif 000006
【図６】
2012246591.tif 000007
【図７】
2012246591.tif 000008
【図８】
2012246591.tif 000009
【図９】
2012246591.tif 000010
【図１０】
2012246591.tif 000011
【図１１】
2012246591.tif 000012
【図１２】
2012246591.tif 000013
【図３】
2012246591.tif 000014